(57)【特許請求の範囲】
【請求項１】
胴の外周切欠き部内に設けられ、くわえ爪とともに被印刷物としてのシートをくわえるくわえ爪受け部と、
前記外周切欠き部におけるシート搬送方向の上流側で前記胴の径方向に延びる側壁と前記くわえ爪受け部との間に設けられ、前記胴の外周面に重ねられたシート状部材の一端部を保持する第１の保持部と、
前記シート状部材の他端部を保持する第２の保持部と
を備え、
前記シート状部材は、前記一端部に他の部分よりも厚く形成された係止片を含み、
前記第１の保持部は、
前記シート状部材が前記胴の外周面側から前記胴の径方向の内側に向けて延びる状態で前記シート状部材の前記一端部を収容する空間と、
前記空間に収容されている前記一端部の前記係止片に前記胴の径方向外側から対向し、前記係止片の前記径方向外側への移動を規制する突壁と
を含み、かつ前記シート状部材を着脱するときを含めて前記胴に対して移動不能となるように前記外周切欠き部に固定され、
前記胴の軸線方向における前記空間の端部は、外部に開放されている
ことを特徴とする印刷機のシート状部材保持装置。
【請求項２】
前記係止片は、前記シート状部材における前記軸線方向の一端から他端まで延び、
前記係止片は、前記軸線方向の一端部に形成された持ち手部を含む
ことを特徴とする請求項１に記載の印刷機のシート状部材保持装置。
【請求項３】
前記くわえ爪受け部は、
前記くわえ爪と協働して前記シートを挟む爪台と、
前記爪台を着脱自在に保持する爪台軸と
を含み、
前記突壁は、前記爪台が前記爪台軸から取り外されても、前記係止片の移動を規制するように形成されている
ことを特徴とする請求項１または請求項２に記載の印刷機のシート状部材保持装置。
【請求項４】
前記第２の保持部は、
前記シート状部材の他端部を挟持するスライダおよびプレートと、
前記スライダに前記プレートを固定する第１のボルトと、
前記スライダを移動可能に支持するガイド部材と、
前記ガイド部材に対する前記スライダの位置を決める第２のボルトと、
前記ガイド部材に前記スライダを固定する第３のボルトと、
前記第２のボルトの緩み止めを行う緩み止め部材と
を含むことを特徴とする請求項１〜請求項３のうち何れか１項に記載の印刷機のシート状部材保持装置。
【請求項５】
前記第２の保持部は、前記第１のボルトおよび前記第３のボルトの抜け止めを行う抜け止め部材を更に含むことを特徴とする請求項４に記載の印刷機のシート状部材保持装置。
【請求項６】
前記第２の保持部は、前記外周切欠き部と前記胴の周方向に離間した他の外周切欠き部内に設けられていることを特徴とする請求項１〜請求項５のうち何れか１項に記載の印刷機のシート状部材保持装置。
【発明の詳細な説明】
【技術分野】
【０００１】
本発明は、印刷機の胴の外周面に設けられるシート状部材を保持する印刷機のシート状部材保持装置に関する。
【背景技術】
【０００２】
従来、印刷胴の表面には、特許文献１および特許文献２に開示されているように、シート状部材が装着されることが多い。特許文献１および２に開示されたシート状部材は保護シートである。この保護シートは、印刷胴においてシートを支持するシート支持部を覆うものである。特許文献１および２に開示された保護シートは、保護シート保持装置によって印刷胴に固定されている。
【０００３】
特許文献１および２に開示された保護シート保持装置は、印刷胴の外周切欠き部内に設けられている。外周切欠き部には、シートをくわえて保持するくわえ爪装置が設けられている。くわえ爪装置は、くわえ爪と爪台とによってシートを挟んで保持するものである。保護シート保持装置は、くわえ爪装置の爪台よりも印刷胴の径方向の内側に設けられたシート保持部材を使用して保護シートの一端部を保持する構成が採られている。保護シートの他端部は、外周切欠き部内に設けられたシート保持軸に巻き付けられて保持される。
【０００４】
上述したシート保持部材は、外周切欠き部における印刷胴の径方向に延びる側壁と対向する位置に進退可能に設けられており、側壁と協働して保護シートの一端部を挟持する。爪台は、上述した側壁に対して接離可能に構成されており、シート保持部材に保護シートの一端部を保持させるときには側壁との間に保護シートが通るスペースを形成するために側壁から離れる。このように爪台が移動するときは、くわえ爪が爪台との干渉を避けるために開放位置に揺動する。
【先行技術文献】
【特許文献】
【０００５】
【特許文献１】特開平３−２８６８６６号公報
【特許文献２】特開平３−２８６８６７号公報
【発明の概要】
【発明が解決しようとする課題】
【０００６】
このように、特許文献１および２に開示された保護シート保持装置では、保護シートを印刷胴に装着するときにくわえ爪と爪台とを動かさなければならない。この作業は、作業者の負担になるばかりでなく、その作業によってくわえ爪の破損や、爪台の位置ずれあるいは破損の原因にもなり得る。
【０００７】
本発明は、このような問題を解消するためになされたものであり、くわえ爪や爪台の移動を伴うことなく簡易な方法でシート状部材の取付けおよび取外しを行うことが可能な印刷機のシート状部材保持装置を提供することを目的とする。
【課題を解決するための手段】
【０００８】
この目的を達成するために、本発明に係る印刷機のシート状部材保持装置は、胴の外周切欠き部内に設けられ、くわえ爪とともに被印刷物としてのシートをくわえるくわえ爪受け部と、前記外周切欠き部におけるシート搬送方向の上流側で前記胴の径方向に延びる側壁と前記くわえ爪受け部との間に設けられ、前記胴の外周面に重ねられたシート状部材の一端部を保持する第１の保持部と、前記シート状部材の他端部を保持する第２の保持部とを備え、前記シート状部材は、前記一端部に他の部分よりも厚く形成された係止片を含み、前記第１の保持部は、前記シート状部材が前記胴の外周面側から前記胴の径方向の内側に向けて延びる状態で前記シート状部材の前記一端部を収容する空間と、前記空間に収容されている前記一端部の前記係止片に前記胴の径方向外側から対向し、前記係止片の前記
径方向外側への移動を規制する突壁とを含み、かつ前記シート状部材を着脱するときを含めて前記胴に対して移動不能となるように前記外周切欠き部に固定され、前記胴の軸線方向における前記空間の端部は、外部に開放されている。
【０００９】
前記係止片は、前記シート状部材における前記軸線方向の一端から他端まで延び、前記係止片は、前記軸線方向の一端部に形成された持ち手部を含んでいてもよい。
【００１０】
前記くわえ爪受け部は、前記くわえ爪と協働して前記シートを挟む爪台と、前記爪台を着脱自在に保持する爪台軸とを含み、前記突壁は、前記爪台が前記爪台軸から取り外されても、前記係止片の移動を規制するように形成されていてもよい。
【００１１】
前記第２の保持部は、前記シート状部材の他端部を挟持するスライダおよびプレートと、前記スライダに前記プレートを固定する第１のボルトと、前記スライダを移動可能に支持するガイド部材と、前記ガイド部材に対する前記スライダの位置を決める第２のボルトと、前記ガイド部材に前記スライダを固定する第３のボルトと、前記第２のボルトの緩み止めを行う緩み止め部材とを含んでいてもよい。
【００１２】
前記第２の保持部は、前記第１のボルトおよび前記第３のボルトの抜け止めを行う抜け止め部材を更に含んでいてもよい。
【００１３】
前記第２の保持部は、前記外周切欠き部と前記胴の周方向に離間した他の外周切欠き部内に設けられていてもよい。
【発明の効果】
【００１４】
本発明においては、シート状部材の一端部を胴の軸線方向に移動させることによって、開放されている端部からシート状部材を第１の保持部の空間に挿入することができる。この空間にシート状部材の一端部が挿入された状態でシート状部材が他端部側へ引かれると、シート状部材の係止片が突壁に当たり、それ以上移動することができなくなる。このため、シート状部材の一端部が上述した空間に挿入されることによって、シート状部材の一端部が抜け止めされた状態で第１の保持部に保持される。シート状部材の一端部を胴から取外す場合は、シート状部材の一端部を胴の軸線方向に移動させて第１の保持部の空間から引き出すことによって行うことができる。このシート状部材の一端部を保持したり取外す作業は、くわえ爪や爪台と無関係に行うことができる。したがって、本発明によれば、くわえ爪や爪台の移動を伴うことなく簡易な方法でシート状部材の取付けおよび取外しを行うことが可能な印刷機のシート状部材保持装置を提供することができる。
【図面の簡単な説明】
【００１５】
【図１】本発明の一実施の形態であるシート状部材保持装置を採用した印刷機の全体構成を示す側面図である。
【図２】印刷胴の外周切欠き部を拡大して示す断面図である。
【図３】要部を拡大して示す断面図である。
【図４】印刷胴の一部を示す平面図である。
【図５】図４におけるV-V線断面図である。
【図６】図４におけるVI-VI線断面図である。
【図７】非金属製シートの平面図である。
【図８】非金属製シートの一部を拡大して示す平面図である。
【図９】印刷胴の軸線方向の端部の一部を示す側面図である。
【発明を実施するための形態】
【００１６】
以下、本発明に係る印刷機のシート状部材保持装置の一実施の形態について、図１〜図９を参照して詳細に説明する。この実施の形態においては、本発明を印刷胴に適用する場合の一例を示す。図１に示す印刷機１は、図１において最も右に位置するフィーダー部２から印刷ユニット３に被印刷物としてのシート４を搬送し、この印刷ユニット３においてシート４の片面または両面に印刷を施すものである。印刷ユニット３において印刷が施されたシート４は、デリバリー部５に送られ、デリバリーパイル６に排出される。
【００１７】
フィーダー部２は、シート４をフィーダーパイル１１からサッカー１２によってフィーダーボード１３に移し替える構造のものである。サッカー１２は、間欠給紙バルブ１４に接続されており、シート４が連続的に送られる形態と、シート４が間欠的に送られる形態とのうちいずれか一方の形態で動作する。シート４の表面のみに印刷が施される場合は、サッカー１２がシート４を連続的にフィーダーボード１３に送る。一方、シート４の表面と裏面とに印刷が施される場合は、サッカー１２がシート４を間欠的にフィーダーボード１３に送る。
【００１８】
印刷ユニット３は、フィーダー部２から供給されたシート４がシート供給側スイング装置１５によって搬送される供給側渡胴１６と、この供給側渡胴１６からシート４が送られる印刷胴１７と、印刷後のシート４を送る複数の搬送胴１８〜２１とを備えている。供給側渡胴１６は、シート４を所定の温度に過熱するヒータ（図示せず）を備えている。印刷胴１７は、シート４を吸着して搬送するもので、後述する吸着装置２２（図２参照）を備えている。この実施の形態においては、この印刷胴１７によって、本発明でいう「胴」が構成されている。
【００１９】
印刷ユニット３は、印刷胴１７に対向する、第１〜第４のインクジェットヘッド２３〜２６およびインク乾燥ランプ２７を更に備えている。第１〜第４のインクジェットヘッド２３〜２６は、供給側渡胴１６よりもシート搬送方向の下流側に配置され、印刷胴１７によって搬送されているシート４にインク滴を吐出して印刷を施すものである。なお、インクジェットヘッドの個数は４つに限定されない。インク乾燥ランプ２７は、第４のインクジェットヘッド２６よりも搬送方向の下流側に配置され、第１〜第４のインクジェットヘッド２３〜２６によってシート４に塗布された印刷後のインクを乾燥（硬化）させるためのものである。
【００２０】
上述した複数の搬送胴とは、印刷胴１７からシート４を受け取る第１の排出側渡胴１８と、この第１の排出側渡胴１８からシート４を受け取る第２の排出側渡胴１９と、この第２の排出側渡胴１９からシート４を受け取る第３の排出側渡胴２０および反転前倍胴２１である。裏面に印刷が施されるシート４は、第２の排出側渡胴１９から反転前倍胴２１に搬送される。表面のみに印刷が施されるシート４や、表裏両面に印刷が施されたシート４は、第２の排出側渡胴１９から第３の排出側渡胴２０に送られ、デリバリーベルト２８を介してデリバリーパイル６に送られる。
【００２１】
これらの供給側渡胴１６と、印刷胴１７と、第１の排出側渡胴１８と、第２の排出側渡胴１９と、第３の排出側渡胴２０と、反転前倍胴２１は、シート４の受け渡しを行うために、それぞれくわえ爪装置３１〜３６を備えている。これらのくわえ爪装置３１〜３６は、シート４の搬送方向の下流側端部をくわえて保持する従来周知の構造のものである。
【００２２】
反転前倍胴２１と給紙側渡胴１６との間には、シート４を反転前倍胴２１から印刷胴１７に送るための反転スイング装置３７が配置されている。この反転スイング装置３７は、反転前倍胴２１によって送られたシート４の搬送方向の上流側端部を把持し、このシート４を表面が印刷胴１７と対向する状態で印刷胴１７に送る。
【００２３】
印刷胴１７の外周部は、各々がくわえ爪装置３２を収容する３つの外周切欠き部４１（４１ａ〜４１ｃ）と、各々がシート４を吸着して保持する３つのシート支持部４２とによって構成されている。３つの外周切欠き部４１は、印刷胴１７の外周面における互いに周方向に離間した位置に設けられている。より正確に言えば、３つの外周切欠き部４１は、外周面を周方向に３等分する位置に配置されている。詳細は後述するが、これらの外周切欠き部４１どうしの間に３つのシート支持部４２が設けられている。すなわち、この印刷胴１７は、外周切欠き部４１とシート支持部４２とを３組備えた３倍胴である。
【００２４】
印刷胴１７のくわえ爪装置３２は、図２に示すように、爪軸４３と、この爪軸４３に設けられた爪部材４４と、この爪部材４４とともにシート４をくわえるくわえ爪受け部４９などによって構成されている。爪軸４３、爪部材４４およびくわえ爪受け部４９は、外周切欠き部４１の中に設けられている。
【００２５】
爪軸４３は、印刷胴１７の軸線（回転軸の軸線）と平行に印刷胴１７の軸線方向の一端部から他端部まで延びており、印刷胴１７の両端部に取付けられた支持用プレート４６（図９参照）の支持板４６ａによって回転自在に支持されている。支持板４６ａは、支持用プレート４６の外周部に形成された径方向の外側に突出する部分であり、外周切欠き部４１と対応する周方向の３箇所に設けられている。この支持板４６ａは、外周切欠き部４１を印刷胴１７の軸線方向の外側から覆う形状に形成されている。爪軸４３は、従来からよく知られたカム機構（図示せず）によって駆動され、所定の時期に回動する。
【００２６】
爪部材４４は、爪軸４３の軸線方向において複数の位置にそれぞれ設けられている。爪部材４４は、爪軸４３が回動することにより図２中に実線で示すくわえ位置と、図２中に二点鎖線で示す開放位置との間で移動する。この実施の形態においては、この爪部材４４によって、本発明でいう「くわえ爪」が構成されている。
【００２７】
くわえ爪受け部４９は、爪部材４４と協働してシート４を挟む爪台４５と、この爪台４５を着脱自在に保持する爪台軸４７とを含んでいる。爪台４５は、外周切欠き部４１に取付けられた爪台軸４７の先端部に載せられた状態で、固定用ボルト４８によって固定されている。この実施の形態における爪台軸４７は、外周切欠き部４１の底から印刷胴１７の径方向の外側に向けて突出する支持部材５１と、この支持部材５１の突出端部５１ａに重ねられた状態で固定用ボルト５２によって固定された保持部材５３とによって構成されている。これらの支持部材５１と保持部材５３は、印刷胴１７の軸線と平行に印刷胴１７の軸線方向の一端部から他端部まで延びている。支持部材５１は、外周切欠き部４１の底に固定用ボルト５４によって固定されている。支持部材５１の突出端部５１ａと保持部材５３との合わせ面５５は、印刷胴１７の軸線方向と径方向とに延びている。
【００２８】
印刷胴１７の３箇所のシート支持部４２には、図２に示すように、吸着装置２２の一部となる吸引室５６が形成されている。吸着装置２２は、印刷胴１７によって搬送されているシート４を印刷胴１７の外周面に向かって吸引するものである。吸着装置２２は、吸引室５６と、この吸引室５６に開閉弁５７を介して接続された空気吸引装置５８とによって構成されている。吸引室５６は、印刷胴１７の外周部に設けられた箱状部材５９の中に形成されている。箱状部材５９は、印刷胴１７の径方向の外側に向けて開口している。この箱状部材５９の開口部は、金属製シート６１と、非金属製シート６２とによって覆われている。
【００２９】
金属製シート６１は、ステンレス鋼などによって形成されたシートに多数（複数）の通気孔６３を穿設したものである。この金属製シート６１は各シート支持部４２の全域を覆う形状に形成されており、金属製シート６１の両端部が印刷胴１７に固定されている。ここでいう両端部とは、シート搬送方向の上流側端部および下流側端部である。金属製シート６１におけるシート搬送方向の下流側端部は、図２に示す外周切欠き部４１（４１ａ）において、箱状部材５９の端部５９ａに沿って印刷胴１７の径方向の内側に折り曲げられており、上述した支持部材５１の突出端部５１ａと保持部材５３とによって挟持されている。この金属製シート６１の上流側端部は、図２に示す外周切欠き部４１（４１ａ）からシート搬送方向の上流側に離間した外周切欠き部４１（４１ｂ）内に設けられたシート保持軸６４に固定されている。図２に示すシート保持軸６４は、外周切欠き部４１（４１ａ）とその下流側に離間する外周切欠き部４１（４１ｃ）との間のシート支持部４２を覆う金属製シート６１の端部を支持するものである。
【００３０】
非金属製シート６２は、本発明でいう「シート状部材」を構成する保護シートである。この非金属製シート６２は、図７および図８に示すように、非金属材料によってシート状に形成された本体６５と、この本体６５の厚み方向に空気を通す多数（複数）の通気部６６とによって構成されている。本体６５は、耐熱性と、耐ＵＶ性および耐溶剤性に優れているとともに、熱によって伸びることがない強度を有するとともに適度の引張り強度を有する材料によって形成されている。この実施の形態における本体６５を形成する材料は、ＰＦＡ（テトラフルオロエチレン・パーフルオロアルキルビニルエーテル共重合体）である。この本体６５の厚みは、０．０７ｍｍ以上０．５ｍｍ以下が望ましく、詳細には０．１ｍｍ〜０．３ｍｍがよい。
【００３１】
本体６５の両端部には口金６７，６８が設けられている。ここでいう両端部とは、図７における左右方向の両端部であり、正確に言えば、シート搬送方向の下流側端部（一端部）および上流側端部（他端部）である。以下においては、本体６５におけるシート搬送方向の下流側端部に位置する口金６７を第１の口金６７といい、上流側端部に位置する口金６８を第２の口金６８という。第１の口金６７と第２の口金６８は、図３に示すように、非金属製シート６２の本体６５よりも厚く形成されており、印刷胴１７の軸線方向における非金属製シート６２の一端端から他端まで延びている。第１の口金６７には、図７に示すように、印刷胴１７の軸線方向の一方に突出する持ち手部６９が設けられている。この実施の形態においては、第１の口金６７によって、本発明でいう「係止片」が構成されている。
【００３２】
通気部６６は、本体６５を厚み方向に貫通する貫通孔によって形成されている。通気部６６の開口形状は、図８に示すように、円形である。隣接する通気部６６間は連絡していない。この通気部６６は、印刷胴１７の軸線方向とシート搬送方向とにそれぞれ所定の間隔をおいて並ぶ状態で本体６５に穿設されている。この実施の形態における通気部６６は、図７中に二点鎖線で示すように、本体６５の略全域に設けられている。通気部６６の孔径は、０．２ｍｍ以上１ｍｍ以下が望ましく、詳細には０．３ｍｍ〜０．９ｍｍがよい。また、通気部６６の形成ピッチは、１．３ｍｍ以下が望ましく、詳細には０．５ｍｍ〜１．１ｍｍがよい。さらに、開口率は５０％以上７０％以下がよい。この開口率とは、本体６５の総面積に対して全ての通気部６６の開口面積が占める割合である。
【００３３】
このように形成された非金属製シート６２は、上述した金属製シート６１（印刷胴１７の外周面）に重ねた状態で、シート状部材保持装置７０（図２参照）によって印刷胴１７に取付けられている。シート状部材保持装置７０は、非金属製シート６２の一端部に設けられた第１の口金６７を保持する第１の保持部７１と、非金属製シート６２の他端部に設けられた第２の口金６８を保持する第２の保持部８１とを備えている。第１の保持部７１は、図３に示すように、箱状部材５９の端部５９ａとくわえ爪受け部４９との間に設けられている。箱状部材５９の端部５９ａは、図２に示すように、外周切欠き部４１におけるシート搬送方向の上流側で印刷胴１７の径方向に延びる側壁を構成している。
【００３４】
第１の保持部７１は、図３に示すように、非金属製シート６２が印刷胴１７の外周面側から印刷胴１７の径方向の内側に向けて延びる状態で、第１の口金６７を収容する空間Ｓ１を有している。また、第１の保持部７１は、この空間Ｓ１に収容されている第１の口金６７に印刷胴１７の径方向の外側（図３においては上側）から対向する突壁７２を有している。この実施の形態においては、突壁７２は、爪台軸４７の保持部材５３に形成されている。この場合、保持部材５３の箱状部材５９との対向面に空間Ｓ１を形成する凹みがあり、この凹みの上端部が突壁７２となる。第１の保持部７１内に位置する第１の口金６７は、このように突壁７２が対向しているために、印刷胴１７の径方向外側へ移動することができない。言い換えれば、突壁７２は、印刷胴１７の径方向外側への第１の口金６７の移動を規制している。
【００３５】
空間Ｓ１および箱状部材５９の端部５９ａと爪台４５との間の空間Ｓ２は、図９に示すように、印刷胴１７の軸線方向の端部に形成された開放部７３に連通されている。開放部７３は、支持用プレート４６の支持板４６ａよりもシート搬送方向の上流側（図９においては右側）に形成されており、印刷胴１７の軸線方向に開口している。したがって、印刷胴１７の軸線方向における空間Ｓ１，Ｓ２の端部は、外部に開放されている。このため、空間Ｓ１，Ｓ２は、印刷胴１７を軸線方向から見ることによって視認することができる。
【００３６】
非金属製シート６２の他端部に設けられた第２の口金６８は、第２の保持部８１に保持されている。この第２の保持部８１は、第１の口金６７を保持する第１の保持部７１が設けられた外周切欠き部４１（４１ａ）から、シート搬送方向の上流側に離間した外周切欠き部４１（４１ｂ）内に設けられている。外周切欠き部４１（４１ｂ）内の第２の保持部８１は、図２に示す外周切欠き部４１（４１ａ）内の第２の保持部８１と同じ構造をしている。すなわち、第２の保持部８１は、外周切欠き部４１内で印刷胴１７の軸線方向に延びるガイド部材８２と、このガイド部材８２に移動自在に支持されたスライダ８３と、このスライダ８３と協働して第２の口金６８を挟持するカバープレート８４などを備えている。
【００３７】
ガイド部材８２は、印刷胴１７の軸線方向の一端部から他端部まで延びており、一対のリブ８２ａ，８２ｂを有する断面溝状に形成されている。リブ８２ａはガイド部材８２におけるシート搬送方向の下流側端部に設けられ、リブ８２ｂはガイド部材８２におけるシート搬送方向の上流側端部に設けられている。また、このガイド部材８２は、印刷胴１７の軸線方向の両端部に設けられた支持用プレート４６に支持用ブラケット８５および固定用ボルト８６（図４参照）によって固定されている。
【００３８】
スライダ８３は、ガイド部材８２に沿って印刷胴１７の軸線方向に延びる板状に形成されている。また、このスライダ８３は、ガイド部材８２に２種類のボルトによって取り付けられている。２種類のボルトとは、シート搬送方向に延びる調整用ボルト８７と、印刷胴１７の径方向に延びる固定用ボルト８８である。
【００３９】
調整用ボルト８７は、ガイド部材８２のリブ８２ａを回転自在に貫通し、スライダ８３に螺着されている。この調整用ボルト８７により、ガイド部材８２に対するスライダ８３のシート搬送方向の位置決めがなされる。この実施の形態においては、調整用ボルト８７によって、本発明でいう「第２のボルト」が構成されている。
【００４０】
この実施の形態においては、調整用ボルト８７の頭部８７ａと対向する位置、すなわちガイド部材８２のシート搬送方向上流側にストッパー８９（図２参照）が設けられている。ストッパー８９は、ガイド部材８２に沿って印刷胴１７の軸線方向に延びており、上述した支持用ブラケット８５に固定用ボルト９０によって固定されている。このため、調整用ボルト８７は、頭部８７ａがストッパー８９に当たるまで緩むことができ、頭部８７ａがストッパー８９に当たった後はそれ以上緩むことができなくなる。このストッパー８９によって、本発明でいう「緩み止め部材」が構成されている。
【００４１】
固定用ボルト８８は、図５に示すように、スライダ８３の長穴８３ａ内を貫通してガイド部材８２に螺着されている。この固定用ボルト８８は、スライダ８３の両端部と中央部とにそれぞれ配置されている。この固定用ボルト８８により、スライダ８３はガイド部材８２に固定される。また、この固定用ボルト８８の先端部には、固定用ボルト８８と交差して延びる抜け止め用のピン９１が設けられている。この固定用ボルト８８によって、本発明でいう「第３のボルト」が構成され、抜け止め用のピン９１によって、本発明でいう「抜け止め部材」が構成されている。
【００４２】
スライダ８３におけるシート搬送方向の下流側端部には、図６に示すように、第１の口金６７を収容するための凹溝９２が形成されている。カバープレート８４は、図４に示すように、印刷胴１７の軸線方向に延びる帯板状に形成されている。このカバープレート８４には、第２の口金６８を押すための複数の押圧部８４ａが設けられている。この実施の形態においては、印刷胴１７の軸線方向に並ぶ複数のカバープレート８４が装備されている。これらのカバープレート８４によって、本発明でいう「プレート」が構成されている。
【００４３】
これらのカバープレート８４は、スライダ８３に重ねられた状態で長手方向の両端部において固定用ボルト９３によってスライダ８３に固定されている。この固定用ボルト９３は、図６に示すように、カバープレート８４の長穴８４ｂを貫通してスライダ８３に螺着されている。この固定用ボルト９３の先端部は、ガイド部材８２の長穴８２ｃに挿通されている。この固定用ボルト９３の先端部にも、固定用ボルト９３と交差して延びる抜け止め用のピン９１が設けられている。この固定用ボルト９３によって、本発明でいう「第１のボルト」が構成されている。
【００４４】
ここで、非金属製シート６２を印刷胴１７に取付ける手順を説明する。非金属製シート６２を印刷胴１７に取付けるためには、先ず、印刷胴１７の軸線方向の一端部に形成されている開放部７３に、第１の口金６７の長手方向の一端部を印刷胴１７の軸線方向の外側から挿入する。この取付作業や、非金属製シート６２を印刷胴１７から取外すときの作業は、持ち手部６９を把持することにより、容易に行うことができる。そして、第１の口金６７をさらに軸線方向に進め、第１の保持部７１の空間Ｓ１内に挿入する。
【００４５】
この空間Ｓ１に非金属製シート６２の一端部が挿入された状態で非金属製シート６２が他端部側へ引かれると、第１の口金６７が突壁７２に当たり、それ以上移動することができなくなる。このため、非金属製シート６２の一端部が上述した空間Ｓ１に挿入されることによって、非金属製シート６２の一端部が抜け止めされた状態で第１の保持部７１（印刷胴１７）に保持される。
【００４６】
その後、非金属製シート６２の本体６５を印刷胴１７のシート支持部４２に重ねる。そして、第２の口金６８を第２の保持部８１のスライダ８３とカバープレート８４とによって挟み、固定用ボルト９３によってカバープレート８４をスライダ８３に固定する。
【００４７】
次に、調整用ボルト８７を締め込み、スライダ８３とともに非金属製シート６２を引く。このように非金属製シート６２が引かれることによって、非金属製シート６２が金属製シート６１（印刷胴１７の外周面）に密着する。その後、非金属製シート６２に所定の張力が作用する状態で固定用ボルト８８によってスライダ８３をガイド部材８２に固定する。このようにスライダ８３がガイド部材８２に固定されることによって、非金属製シート６２を印刷胴１７に取付ける作業が完了する。
【００４８】
非金属製シート６２を印刷胴１７から取外す場合は、先ず、第２の保持部８１から第２の口金６８を外す。そして、本体６５を印刷胴１７のシート保持部４２から剥がし、第１の口金６７の持ち手部６９を把持して印刷胴１７の軸線方向に引く。このように持ち手部６９を引くことにより、第１の口金６７を含む非金属製シート６２の一端部が第１の保持部７１から印刷胴１７の開放部７３を通って印刷胴１７の軸線方向の外側に引き出される。
【００４９】
非金属製シート６２を印刷胴１７に取付ける作業と、非金属製シート６２を印刷胴１７から取外す作業は、くわえ爪装置３２の爪部材４４や爪台４５とは無関係に行うことができる。したがって、この実施の形態によれば、爪部材４４や爪台４５の移動を伴うことなく簡易な方法で非金属製シート６２の取付けおよび取外しを行うことが可能な印刷機のシート状部材保持装置を提供することができる。
【００５０】
この実施の形態による非金属製シート６２の第１の口金６７は、非金属製シート６２における印刷胴１７の軸線方向の一端から他端まで延びている。この第１の口金６７における上述した軸線方向の一端部には、持ち手部６９が設けられている。このため、この実施の形態によれば、持ち手部６９を把持して非金属製シート６２の着脱を容易に行うことができる。
【００５１】
この実施の形態による第２の保持部８１は、固定用ボルト８８，９３の抜け止めを行うピン９１と、調整用ボルト８７の頭部８７ａと対向して調整用ボルト８７の緩み止めを行うストッパー８９を備えている。このため、この実施の形態によれば、印刷胴１７が回転しているときに第２の保持部８１の固定用ボルト８８，９３および調整用ボルト８７が緩んで脱落することを確実に防ぐことができる。
【００５２】
上述した実施の形態においては、第１の口金６７の移動を規制する突壁７２が爪台軸４７の保持部材５３に形成されている例を示した。しかし、突壁７２は、箱状部材５９の端部５９ａにおける保持部材５３と対向する部分に形成されてもよい。この場合、箱状部材５９の端部５９ａの保持部材５３との対向面に空間Ｓ１を形成する凹みがあり、この凹みの上端部が突壁７２となる。このように、保持部材５３および箱状部材５９の端部５９ａの少なくとも一方に突壁７２が設けられることにより、爪台４５が爪台軸４７から取り外されても、第１の口金６７が印刷胴１７の径方向外側へ移動することが規制される。
【００５３】
上述した実施の形態においては、印刷胴１７の保護シートである非金属製シート６２を保持するシート状部材保持装置７０を示した。しかし、本発明のシート状部材保持装置は、印刷胴１７の保護シートとは異なるシート状部材を保持することができる。例えば、本発明のシート状部材保持装置は、圧胴や渡し胴などの被印刷物を搬送する機能を有する胴において、ペーパーやフィルムなどのシート状部材を保持するために用いることができる。これらのペーパーやフィルムは、ゴム胴のブランケットや被印刷物などが汚れたり擦れて傷付くことを防ぐものである。
【００５４】
また、本発明のシート状部材保持装置は、圧胴の表面において、紙、布またはゴムなどからなるシート状部材としてのパッキングシートを保持することや、そのパッキングシートを保護するためのゴムシートを保持することができる。パッキングシートは、凹版印刷機や凸版印刷機などにおいて、印刷の際に、圧胴の金属面と版胴の版面との衝撃を避けるため、圧胴の金属面に適当な弾力を与えて、版面と印刷用紙との接触が良くなるように印刷圧を調整するためのものである。
【符号の説明】
【００５５】
１…印刷機、４…シート、１７…印刷胴（胴）、４１，４１ａ〜４１ｃ…外周切欠き部、４４…爪部材（くわえ爪）、４５…爪台、４７…爪台軸、４９…くわえ爪受け部、５９ａ…端部（側壁）、６２…非金属製シート（シート状部材）、６７…第１の口金（係止片）、６９…持ち手部、７０…シート状部材保持装置、７１…第１の保持部、７２…突壁、８１…第２の保持部、８２…ガイド部材、８３…スライダ、８４…カバープレート、８７…調整用ボルト（第２のボルト）、８８…固定用ボルト（第３のボルト）、８９…ストッパー（緩め止め部材）、９１…ピン（抜け止め部材）、９３…固定用ボルト（第１のボルト）、Ｓ１…空間 。
【図１】
0006738648.tif 000002
【図２】
0006738648.tif 000003
【図３】
0006738648.tif 000004
【図４】
0006738648.tif 000005
【図５】
0006738648.tif 000006
【図６】
0006738648.tif 000007
【図７】
0006738648.tif 000008
【図８】
0006738648.tif 000009
【図９】
0006738648.tif 000010